(57)【要約】本発明は、視聴者が複数の広告配信管理システムを利用する場合でも、視聴者により選択された広告配信管理システムから視聴者毎に優先順位に応じた広告を配信することができる広告配信管理システムを提供する。本発明の課題は、選択された広告配信管理システムから視聴者毎に優先順位に応じた広告を配信する広告配信管理システムであって、視聴者に広告を配信する広告配信手段と、広告配信手段から優先順位に基づいて視聴者に配信される広告を管理する広告配信管理手段と、広告配信手段から配信される広告の広告デジタル・データを記憶する広告データベースとを備え、広告配信管理手段は、配信される広告に関連する事項を確認する広告確認手段と、広告データベースに記憶されている広告デジタル・データを変更／更新する広告デジタル・データ変更／更新手段とを含む広告配信管理システムによって達成される。
2002091262.tif 000002
【特許請求の範囲】
【請求項１】
選択された広告配信管理システムから視聴者毎に優先順位に応じた広告を配信する広告配信管理システムであって、
視聴者に広告を配信する広告配信手段と、
前記広告配信手段から優先順位に基づいて視聴者に配信される広告を管理する広告配信管理手段と、
前記広告配信手段から配信される広告の広告デジタル・データを記憶する広告データベースとを備え、
前記広告配信管理手段は、前記配信される広告に関連する事項を確認する広告確認手段と、前記広告データベースに記憶されている前記広告デジタル・データを変更／更新する広告デジタル・データ変更／更新手段とを含むことを特徴とする広告配信管理システム。
【請求項２】
前記広告確認手段は、
優先順位的に配信準備に入るべき広告の業種、商品または広告主が、挿入される番組または現在アクセスしている配信事業者の規制に適合するかどうかを確認することを特徴とする請求項１に記載の広告配信管理システム。
【請求項３】
優先順位的に配信準備に入るべき広告が挿入される番組または番組タイプが、該広告の広告主による挿入拒絶番組、または挿入拒絶番組タイプであるかどうかを確認することを特徴とする請求項１に記載の広告配信管理システム。
【請求項４】
前記広告確認手段は、
前記優先順位的に配信準備に入るべき広告の前記広告デジタルデータが、現在アクセスしている前記広告配信手段に存在しているかどうかを確認することを特徴とする請求項１または２に記載の広告配信管理システム。
【請求項５】
前記広告確認手段は、
前記優先順位的に配信準備に入るべき広告の前記広告デジタルデータが、現在アクセスしている前記広告配信手段に異なるフォームで複数存在している場合に、どのデータが配信されるべきかを判断することを特徴とする請求項１〜３のいずれか一項に記載の広告配信管理システム。
【請求項６】
前記広告確認手段は、
前記優先順位的に配信準備に入るべき広告が、現在アクセスしている配信システムによる配信形態、配信期限、配信地域、配信対象、配信サービス、配信時間帯、配信対象者年齢の少なくとも一つ又は二つ以上について、放映許諾を受けている範囲内かどうかを確認することを特徴とする請求項１〜５のいずれか一項に記載の広告配信管理システム。
【請求項７】
前記広告確認手段は、
前記優先順位的に配信準備に入るべき広告の前記広告デジタル・データの放映秒数が、挿入予定の広告枠時間内に挿入可能であるかどうかを確認することを特徴とする請求項１〜６のいずれか一項に記載の広告配信管理システム。
【請求項８】
前記広告デジタル・データ変更／更新手段は、
請求項２〜請求項７に記載の確認時に、前記広告デジタルデータを変更／更新する必要があると判断された場合には、該広告デジタルデータを変更／更新することを特徴とする請求項１〜７のいずれか一項に記載の広告配信管理システム。
【請求項９】
前記広告デジタル・データ変更／更新手段は、
前記広告確認手段による配信時点における確認／判断の結果に応じて、配信不可及び配信可能の場合にそれぞれ所定の係数を割り当て、全ての係数を広告に重み付けすることを特徴とする請求項１〜８のいずれか一項に記載の広告配信管理システム。
【請求項１０】
選択された広告配信管理システムから視聴者毎に優先順位に応じた広告を配信する広告配信管理方法であって、
視聴者に広告を配信する段階と、
優先順位に基づいて視聴者に配信される広告を管理する段階と、
前記配信される広告の広告デジタル・データを広告データベースに記憶する段階とを具備し、
前記広告を管理する段階は、前記配信される広告に関連する事項を確認する段階と、前記広告データベースに記憶されている前記広告デジタル・データを変更／更新する段階とを含むことを特徴とする広告配信管理方法。
【請求項１１】
前記確認する段階は、
優先順位的に配信準備に入るべき広告の業種、商品または広告主が、挿入される番組または現在アクセスしている配信事業者の規制に適合するかどうかを確認する段階を更に具備することを特徴とする請求項１０に記載の広告配信管理方法。
【請求項１２】
前記確認する段階は、
前記優先順位的に配信準備に入るべき前記広告が挿入される番組または番組タイプが、該広告の広告主による挿入拒絶番組、または挿入拒絶番組タイプであるかどうかを確認する段階を更に具備することを特徴とする請求項１０または１１に記載の広告配信管理方法。
【請求項１３】
前記確認する段階は、
前記優先順位的に配信準備に入るべき広告の前記広告デジタルデータが、現在アクセスしている配信サーバに存在しているかどうかを確認する段階を更に具備することを特徴とする請求項１０から１２のいずれか一項に記載の広告配信管理方法。
【請求項１４】
前記確認する段階は、
前記優先順位的に配信準備に入るべき広告の前記広告デジタルデータが、現在アクセスしている配信サーバに異なるフォームで複数存在している場合に、どのデータが配信されるべきかを判断する段階を更に具備することを特徴とする請求項１０〜１３のいずれか一項に記載の広告配信管理方法。
【請求項１５】
前記確認する段階は、
前記優先順位的に配信準備に入るべき広告が、現在アクセスしている配信システムによる配信形態、配信期限、配信地域、配信対象、配信サービス、配信時間帯、配信対象者年齢の少なくとも一つ又は二つ以上について、放映許諾を受けている範囲内かどうかを確認する段階を更に具備することを特徴とする請求項１０〜１４のいずれか一項に記載の広告配信管理方法。
【請求項１６】
前記確認する段階は、
前記優先順位的に配信準備に入るべき広告の前記広告デジタル・データの放映秒数が、挿入予定の広告枠時間内に挿入可能であるかどうかを確認する段階を更に具備することを特徴とする請求項１０〜１５のいずれか一項に記載の広告配信管理方法。
【請求項１７】
前記変更／更新する段階は、
請求項１０〜請求項１６に記載の確認時に、前記広告デジタルデータを変更／更新する必要があると判断された場合には、該広告デジタルデータを変更／更新することを特徴とする請求項１０〜１６のいずれか一項に記載の広告配信管理方法。
【請求項１８】
前記変更／更新する段階は、
前記確認する段階による配信時点における確認／判断の結果に応じて、配信不可及び配信可能の場合にそれぞれ所定の係数を割り当て、全ての係数を広告に重み付けすることを特徴とする請求項１０〜１７のいずれか一項に記載の広告配信管理方法。
【請求項１９】
選択された広告配信管理システムから顧客毎に優先順位に応じた広告を配信する広告配信管理システムであって、
顧客に対する広告の順位決定係数を決定する広告配信順位管理手段と、
前記顧客に対する前記広告の許諾確認係数を決定する広告許諾管理手段と、
前記顧客に対する前記広告を配信する広告配信手段とを備え、
前記広告配信手段は、前記広告配信順位管理手段で決定された前記順位決定係数及び前記広告許諾管理手段で決定された前記許諾確認係数に基づき広告配信スケジュールを決定し、当該決定した広告配信スケジュールに基づき前記顧客に対して広告配信を行うことを特徴とする広告配信管理システム。
【請求項２０】
選択された広告配信管理システムから顧客毎に優先順位に応じた広告を配信する広告配信管理方法であって、
顧客に対する広告の順位決定係数を決定する段階と、
前記顧客に対する前記広告の許諾確認係数を決定する段階と、
前記決定された順位決定係数及び許諾確認係数に基づき広告配信スケジュールを決定する段階と、
前記決定した広告配信スケジュールに基づき前記顧客に対する前記広告の配信を行う段階と
を具備することを特徴とする広告配信管理方法。
【請求項２１】
選択された広告配信管理システムから顧客毎に優先順位に応じた広告を配信する広告配信管理システムであって、
広告枠に指定広告が存在するかどうかを検出する指定広告検出手段と、
前記指定広告検出手段の検出結果により前記広告枠に一つ以上の指定広告が存在する場合に該指定広告の優先順位を決定する指定広告優先順位決定手段と、
前記指定広告検出手段の検出結果により前記広告枠に指定広告が存在しない場合にスポット広告の優先順位を決定するスポット広告優先順位決定手段と
を備え、
前記指定広告優先順位決定手段により決定された優先順位又は前記スポット広告優先順位決定手段により決定された優先順位に基づき前記顧客に対して広告配信を行うことを特徴とする広告配信管理システム。
【発明の詳細な説明】
１．  技術分野
本発明は、一つ又は二つ以上の配信システムを用いて広告を配信及び管理する広告配信管理システム及び方法に関する。
この際、配信とは、視聴者が見ている画面に広告が放映されるように、広告データを送り込むこと全般を指しており、該広告配信管理システムには、家庭にある画面に対して、家庭外にある広告サーバから広告データを送り込む広告配信管理システムも、家庭内にある広告サーバから広告データを送り込む広告配信管理システムも含んでいる。テレビやパソコン等の受像機にハードディスク等の記憶装置が内蔵されていて、該記憶装置から広告データが受像機の再生装置に送り込まれることも配信の中に含むものとする。
２．  背景技術
従来の広告配信管理システムとして、広告を番組から切り離して取り扱い、視聴者毎に各広告に優先順位を付けて、その優先順位により広告を視聴者毎に配信するように構成された広告配信管理システムが提案されている。
また、今までは、テレビによって視聴する広告、パソコンによって視聴する広告、携帯電話で視聴する広告、その他のメディア画面で視聴する広告は、独立して配信されており、同一視聴者が複数のメディアで広告を見る場合に、それぞれの広告が連動して配信されることがなかった。ここで、メディアとは、映像・音声・画像・テキスト・プログラム等を使った放送・通信・情報サービスの提供手段をいい、前記サービスを提供する画面をメディア画面と呼ぶ。
通信・ハード・ソフトの発展に伴い、視聴者が接するメディアは、今後ますます増加し、多様化する傾向にある。例えば、通信のブロード化に伴い、パソコンや携帯電話でテレビと同じような動画を見ることが可能であるし、テレビ電話やモニター付き家電商品によって、これらの画面も新たなメディアと成り得る。
３．  発明の開示
複数のメディアによる複数の広告配信管理システムが、独立して広告を提供するより、メディアに関係なく、視聴者毎に広告の重み付けが行われ、広告の配信優先順位が統合的に決められ、視聴者がどのメディアを選択し、アクセスしたとしても、そのアクセスした広告配信管理システムから、前記優先順位を基に決定された広告を配信することができる広告配信管理システム及び方法を提供することをその課題とする。
本発明の上記課題は、選択された広告配信管理システムから視聴者毎に優先順位に応じた広告を配信する広告配信管理システムであって、視聴者に広告を配信する広告配信手段と、前記広告配信手段から優先順位に基づいて視聴者に配信される広告を管理する広告配信管理手段と、前記広告配信手段から配信される広告の広告デジタル・データを記憶する広告データベースとを備え、前記広告配信管理手段は、前記配信される広告に関連する事項を確認する広告確認手段と、前記広告データベースに記憶されている前記広告デジタル・データを変更／更新する広告デジタル・データ変更／更新手段とを含む広告配信管理システムによって達成される。
本発明の上記課題は、選択された広告配信管理システムから視聴者毎に優先順位に応じた広告を配信する広告配信管理方法であって、視聴者に広告を配信する段階と、優先順位に基づいて視聴者に配信される広告を管理する段階と、前記配信される広告の広告デジタル・データを広告データベースに記憶する段階とを具備し、前記広告を管理する段階は、前記配信される広告に関連する事項を確認する段階と、前記広告データベースに記憶されている前記広告デジタル・データを変更／更新する段階とを含む広告配信管理方法によって達成される。
本発明の上記課題は、選択された広告配信管理システムから顧客毎に優先順位に応じた広告を配信する広告配信管理システムであって、顧客に対する広告の順位決定係数を決定する広告配信順位管理手段と、前記顧客に対する前記広告の許諾確認係数を決定する広告許諾管理手段と、前記顧客に対する前記広告を配信する広告配信手段とを備え、前記広告配信手段は、前記広告配信順位管理手段で決定された前記順位決定係数及び前記広告許諾管理手段で決定された前記許諾確認係数に基づき広告配信スケジュールを決定し、当該決定した広告配信スケジュールに基づき前記顧客に対して広告配信を行う広告配信管理システムによって達成される。
本発明の上記課題は、選択された広告配信管理システムから顧客毎に優先順位に応じた広告を配信する広告配信管理方法であって、顧客に対する広告の順位決定係数を決定する段階と、前記顧客に対する前記広告の許諾確認係数を決定する段階と、前記決定された順位決定係数及び許諾確認係数に基づき広告配信スケジュールを決定する段階と、前記決定した広告配信スケジュールに基づき前記顧客に対する前記広告の配信を行う段階とを具備する広告配信管理方法によって達成される。
本発明の上記課題は、選択された広告配信管理システムから顧客毎に優先順位に応じた広告を配信する広告配信管理システムであって、広告枠に指定広告が存在するかどうかを検出する指定広告検出手段と、指定広告検出手段の検出結果により広告枠に一つ以上の指定広告が存在する場合に該指定広告の優先順位を決定する指定広告優先順位決定手段と、指定広告検出手段の検出結果により広告枠に指定広告が存在しない場合にスポット広告の優先順位を決定するスポット広告優先順位決定手段とを備え、指定広告優先順位決定手段により決定された優先順位又はスポット広告優先順位決定手段により決定された優先順位に基づき顧客に対して広告配信を行う広告配信管理システムによって達成される。
本発明の広告配信管理システムでは、広告確認手段は、優先順位的に配信準備に入るべき広告の業種、商品または広告主が、挿入される番組または現在アクセスしている配信事業者の規制に適合するかどうかを確認するように構成してもよい。
本発明の広告配信管理システムでは、優先順位的に配信準備に入るべき広告が挿入される番組または番組タイプが、該広告の広告主による挿入拒絶番組、または挿入拒絶番組タイプであるかどうかを確認するように構成してもよい。
本発明の広告配信管理システムでは、広告確認手段は、優先順位的に配信準備に入るべき広告の広告デジタルデータが、現在アクセスしている広告配信手段に存在しているかどうかを確認するように構成してもよい。
本発明の広告配信管理システムでは、広告確認手段は、優先順位的に配信準備に入るべき広告の広告デジタルデータが、現在アクセスしている広告配信手段に異なるフォームで複数存在している場合に、どのデータが配信されるべきかを判断するように構成してもよい。
本発明の広告配信管理システムでは、広告確認手段は、優先順位的に配信準備に入るべき広告が、現在アクセスしている配信システムによる配信形態、配信期限、配信地域、配信対象、配信サービスの少なくとも一つ又は二つ以上について、放映許諾を受けている範囲内かどうかを確認するように構成してもよい。
本発明の広告配信管理システムでは、広告確認手段は、優先順位的に配信準備に入るべき広告の広告デジタル・データの放映秒数が、挿入予定の広告枠時間内に挿入可能であるかどうかを確認するように構成してもよい。
本発明の広告配信管理システムでは、広告デジタル・データ変更／更新手段は、上述した確認時に、広告デジタルデータを変更／更新する必要があると判断された場合には、広告デジタルデータを変更／更新するように構成してもよい。
本発明の広告配信管理システムでは、広告デジタル・データ変更／更新手段は、広告確認手段による配信時点における確認／判断の結果に応じて、配信不可及び配信可能の場合にそれぞれ所定の係数を割り当て、全ての係数を広告に重み付けするように構成してもよい。
本発明の広告配信管理方法では、確認する段階は、優先順位的に配信準備に入るべき広告の業種、商品または広告主が、挿入される番組または現在アクセスしている配信事業者の規制に適合するかどうかを確認する段階を更に具備してもよい。
本発明の広告配信管理方法では、優先順位的に配信準備に入るべき広告が挿入される番組または番組タイプが、該広告の広告主による挿入拒絶番組、または挿入拒絶番組タイプであるかどうかを確認する段階を更に具備してもよい。
本発明の広告配信管理方法では、確認する段階は、優先順位的に配信準備に入るべき広告の広告デジタルデータが、現在アクセスしている配信サーバに存在しているかどうかを確認する段階を更に具備してもよい。
本発明の広告配信管理方法では、確認する段階は、優先順位的に配信準備に入るべき広告の広告デジタルデータが、現在アクセスしている配信サーバに異なるフォームで複数存在している場合に、どのデータが配信されるべきかを判断する段階を更に具備してもよい。
本発明の広告配信管理方法では、確認する段階は、優先順位的に配信準備に入るべき広告が、現在アクセスしている配信システムによる配信形態、配信期限、配信地域、配信対象、配信サービスの少なくとも一つ又は二つ以上について、放映許諾を受けている範囲内かどうかを確認する段階を更に具備してもよい。
本発明の広告配信管理方法では、確認する段階は、優先順位的に配信準備に入るべき広告の広告デジタル・データの放映秒数が、挿入予定の広告枠時間内に挿入可能であるかどうかを確認する段階を更に具備してもよい。
本発明の広告配信管理方法では、変更／更新する段階は、上述した確認時に、広告デジタルデータを変更／更新する必要があると判断された場合には、該広告デジタルデータを変更／更新するようにしてもよい。
本発明の広告配信管理方法では、変更／更新する段階は、確認する段階による配信時点における確認／判断の結果に応じて、配信不可及び配信可能の場合にそれぞれ所定の係数を割り当て、全ての係数を広告に重み付けするようにしてもよい。
５．  発明を実施するための最良の形態
以下、添付した図面を参照して、本発明による広告配信管理システム及び方法の実施例を説明する。
図１は、本発明による広告配信管理システムの一実施例の構成を示す概略図である。
図１の広告配信管理システム１０は、視聴者に広告を配信する広告配信サーバ（以下、配信サーバと称する場合もある）ＳＶ１〜ＳＶ３を有する広告配信部１１〜１３と、広告配信部１１〜１３から視聴者に優先順位により配信される広告を管理する広告配信管理部１４と、広告配信部１１〜１３から配信される広告の広告デジタル・データを記憶する広告データベース１５とを備えている。
本発明の主要部を構成する広告配信管理部１４は、配信される広告に関して以下に説明する事項を確認する広告確認部１６と、広告データベース１５に記憶されている広告デジタル・データを変更／更新する広告デジタル・データ変更／更新部１７とを含む。
次に、図２ａ及び図２ｂのフロー図を参照して、本発明の主要部を構成している広告配信管理部１４の動作について説明する。
広告配信管理部１４の広告確認部１６は、以下の確認を行う：
（１）優先順位的に配信準備に入るべき広告の「業種」または「商品」または「広告主」が、「挿入される番組」または「現在アクセスしている配信事業者」の規制に適合するかどうか、例えば、番組の提供スポンサーと競合である場合等を確認する（ステップＳ１）。
（２）優先順位的に配信準備に入るべき広告が挿入される番組または番組タイプが、該広告の広告主による挿入拒絶番組、または挿入拒絶番組タイプであるかどうかを確認する（ステップＳ２）。
（３）優先順位的に配信準備に入るべき広告の「広告デジタルデータ」が、現在アクセスしている広告配信管理システムの配信サーバ（ＳＶ１〜ＳＶ３のいずれか）に存在しているかどうか確認する（ステップＳ３）。
（４）（広告データベース１５に記憶されている）優先順位的に配信準備に入るべき広告の「広告デジタルデータ」が、現在アクセスしている配信システムの配信サーバに、異なるフォーム（フォーマット、圧縮率、画素数、セキュリティ機能等）で、複数存在しており、どのデータが配信されるべきか判断する（ステップＳ４）。
（５）優先順位的に配信準備に入るべき広告が、現在アクセスしている配信システムによる配信形態、配信期限、配信地域、配信対象、配信サービスにおいて、放映許諾を受けている範囲内かどうかを確認する（ステップＳ５）。
（６）優先順位的に配信準備に入るべき広告の広告デジタル・データの放映秒数が、挿入予定の広告枠時間内にはまるものかどうかを確認する（ステップＳ６）。
上記（４）〜（６）で「広告デジタルデータ」を変更／更新する必要があると判断された場合には、広告デジタル・データ変更／更新部１７は、「広告デジタルデータ」を変更／更新する（ステップＳ７）。
広告デジタル・データ変更／更新部１７は、広告確認部１６による配信時点における確認／判断の結果に応じて、配信不可であれば０（ゼロ）を、配信可能であれば、１を係数として割り当て、全ての係数を広告の重みに乗する（ステップＳ８）。
そして、配信サーバ（ＳＶ１〜ＳＶ３のいずれか）は、係数が重み付けされた広告を視聴者に配信する（ステップＳ９）。
上述した実施例の広告配信管理システムによれば、配信時点における確認、判断を行うことが可能になり、視聴者毎に優先順位の付けられた広告リストに基づきかつ視聴者が実際にアクセスしている配信システムに対応した、広告デジタル・データ配信管理を行うことができる。
図３は、本発明による広告配信管理システムの別の実施例の構成を示す概略図である。
図３の広告配信管理システム１００は、顧客に対する広告の順位決定係数を求めるように構成された広告配信順位管理部１１０、顧客に対する広告の許諾確認係数を求めるように構成された広告許諾管理部１２０、及び顧客に対する広告の配信スケジュールを決定して広告配信を行うように構成された広告配信部１３０により構成されている。
広告配信順位管理部１１０は、クライアントデマンド・データベース１１０−１、履歴データベース１１０−２、及び顧客データベース１１０−３を備えている。広告許諾管理部１２０は、広告属性データベース１２０−１及びＡＤ−Ｍｅｍｏｒｉｅｓ（広告放映許諾管理システム）１２０−２を備えている。広告配信部１３０は、広告サーバ１３０−１、指定広告検出装置１３０−２、及び配信順位指定装置１３０−３を備えている。
次に、図４ａ〜図４ｋのフロー図を参照して、図３の広告配信管理システム１００を構成している各構成部分による処理動作を説明する。
１．広告配信順位管理部１１０
広告配信順位管理部１１０は、顧客Ｕに対する広告Ｋの順位決定係数Ｘを求めるように構成されており、以下に説明するような動作を実行する：
Ａ）クライアント・デマンド・データベース１１０−１への登録
広告Ｋを見て欲しいターゲットの属性（例えば、性別、年齢、住所、視聴地域、趣味嗜好、ネット上での視聴及び行動履歴等）を登録し（ステップＡ１）、広告Ｋを見て欲しい日時の範囲や天気を登録し（ステップＡ２）、広告Ｋを見てもらう期間を登録し（ステップＡ３）、上記期間中に見てもらうべき広告Ｋの総放映希望回数を登録する（ステップＡ４）。
ステップＡ１でいう、ネット上での視聴及び行動履歴というのは、例えば、あるコンテンツを見て、特定の行動をした視聴者には優先的に広告Ｋを見せたいとか、あるコンテンツを数回（例えば、５回）見た人には、優先的に広告Ｋを見せたいといった視聴者のアクションに対し、クライアントのデマンドを登録し、重み付けできることである。
ステップＡ２における日時の範囲というのは、ターゲットに見て欲しい▲１▼日にちあるいは、▲２▼時間帯、あるいは▲３▼日にちと時間帯の掛け合わせをに対して、重み付けをできることをいう。
例えば、▲１▼なるべく月末に見て欲しいもの、なるべく休日に見て欲しいものといった日にちによる重み付けや、▲２▼なるべく夕食準備前に見て欲しいもの、なるべく朝食時に見て欲しいものといった時間帯による重み付けや、▲３▼なるべく平日の昼間に見て欲しいもの、なるべく休日前の夜に見て欲しいものといった、日にちと時間帯の掛け合わせに対する重み付けができるようにする。
また、同じくステップＡ２における天気というのは、ターゲットに見て欲しい天気を登録し、重み付けをできることをいう。
例えば、天気の地方と雨の地方で、広告を差換えられるよう、両方のバージョンを用意し、重みに差をつけるようなこともできる。
Ｂ）顧客履歴のキャプチャー及び履歴データベース１１０−２への保存
全顧客に関わる履歴について、広告Ｋの総既放映回数を履歴データベース１１０−２にアップデートし（ステップＢ１）、顧客Ｕに個別に関わる履歴について、予め広告主等により指定されたキーとなる視聴行動（特殊履歴と称する）を行った場合、それを履歴データベース１１０−２に記録し（ステップＢ２）、顧客Ｕによる広告Ｋの既視聴回数を履歴データベース１１０−２にアップデートする（ステップＢ３）。
Ｃ）広告に関するマッチングによる項目毎の係数の決定
ユーザＩＤに基づき、顧客データベース１１０−３に登録されたユーザ属性と、クライアント・デマンド・データベース１１０−１に登録されたターゲット属性との一致度によって係数αを決定し（ステップＣ１）、現行時間に基づいた予測ＣＭ視聴時間帯とターゲット時間帯との一致度によって係数βを決定し（ステップＣ２）、（総放映希望回数−総既放映回数）／残放映期間により、広告Ｋの総残放映回数／日を導いて、それに基づき、係数γを決定し（ステップＣ３）、キーとなる特殊履歴を行っているか否かにより、係数θを決定し（ステップＣ４）、顧客Ｕにとっての広告Ｋの最大フリークエンシー規制回数ｅと、顧客Ｕへの広告Ｋ既放映回数ｆとを比較し、ｅ＞ｆならば１になるように、また、ｅ≦ｆならば０になるように、係数を決定する（ステップＣ５）。
Ｄ）顧客の広告に関する順位決定係数の計算
上記ステップ（Ｃ１）〜（Ｃ５）で導き出した係数を用いて、ある一定の演算（例えば、本実施例では乗算）を実行することにより、順位決定係数Ｘ（Ｋ）を決定し（ステップＤ１）、ユーザがログインした段階で全ての広告について順位決定係数Ｘ（Ｋ）を計算する（ステップＤ２）と共に、順位決定係数Ｘ（Ｋ）の値を一定時間おきに再計算して更新する（ステップＤ３）。
２．広告許諾管理部１２０
広告許諾管理部１２０は、顧客Ｕに対する広告Ｋの許諾確認係数Ｙを求めるように構成されており、以下の動作を実行する：
Ｅ）広告属性データベース１２０−１への登録
広告ＩＤ番号を登録し（ステップＥ１）、広告対象商品名を登録し（ステップＥ２）、広告対象商品の業種を登録し（ステップＥ３）、広告主名を登録し（ステップＥ４）、広告の属性に特殊内容がある場合には、その特殊内容を登録する（ステップＥ５）。
Ｆ）広告放映許諾情報管理システム“Ａｄ−Ｍｅｍｏｒｉｅｓ”１２０−２への登録
広告配信許諾に関する形態情報を登録し（ステップＦ１）、広告放映許諾に関する期限情報を登録し（ステップＦ２）、広告放映許諾に関する地域情報を登録し（ステップＦ３）、広告配信許諾に関する対象情報を登録し（ステップＦ４）、広告放映許諾に関するサービス情報を登録し（ステップＦ５）、広告放映許諾に関するデータ・フォーム情報を登録する（ステップＦ６）。
Ｇ）広告に関するマッチングによる項目毎の係数の決定
事業者による規制データにマッチした広告対象商品名、広告対象商品業種、広告主名、特殊内容が存在するかどうかを確認し、一つでも存在する場合には係数０を割り当て、まったく存在しない場合には係数１を割り当てる（ステップＧ１）。番組による規制データにマッチした広告対象商品名、広告対象商品業種、広告主名、特殊内容が存在するかどうかを確認し、一つでも存在する場合には係数０を割り当て、まったく存在しない場合には係数１を割り当てる（ステップＧ２）。広告が挿入される予定になっている番組が、広告に付与されている挿入拒絶番組あるいは挿入拒絶番組タイプに当てはまるかどうかを確認し、一つでも当てはまる要素がある場合には、係数０を割り当て、まったく当てはまる要素がない場合には、係数１を割り当てる（ステップＧ２．５）。顧客Ｕがリクエストした広告配信の形態が“Ａｄ−Ｍｅｍｏｒｉｅｓ”１２０−２で許諾されているかどうかを確認し、許諾されていない場合には係数０を割り当て、許諾されている場合には係数１を割り当てる（ステップＧ３）。顧客Ｕが広告を視聴する日時が“Ａｄ−Ｍｅｍｏｒｉｅｓ”１２０−２で許諾された期間内であるかどうかを確認し、許諾されていない場合には係数０を割り当て、許諾されている場合には係数１を割り当てる（ステップＧ４）。顧客Ｕが広告を視聴する地域が“Ａｄ−Ｍｅｍｏｒｉｅｓ”１２０−２で許諾された地域であるかどうかを確認し、許諾されていない場合には係数０を割り当て、許諾されている場合には係数１を割り当てる（ステップＧ５）。顧客Ｕが放映対象として“Ａｄ−Ｍｅｍｏｒｉｅｓ”１２０−２で許諾された対象者であるかどうかを確認し、許諾されていない場合には係数０を割り当て、許諾されている場合には係数１を割り当てる（ステップＧ６）。顧客Ｕが広告を視聴するであろう放映サービスが“Ａｄ−Ｍｅｍｏｒｉｅｓ”１２０−２で許諾された放映サービスであるかどうかを確認し、許諾されていない場合には係数０を割り当て、許諾されている場合には係数１を割り当てる（ステップＧ７）。広告放映のために配信された広告Ｋのデータ・フォームが“Ａｄ−Ｍｅｍｏｒｉｅｓ”１２０−２で許諾されたデータ・フォームであるかどうかを確認し、許諾されていない場合には係数０を割り当て、許諾されている場合には係数１を割り当てる（ステップＴＧ８）。
Ｈ）許諾確認係数の決定
上記ステップ（Ｇ１）〜（Ｇ８）で導き出した係数を用いて、ある一定の演算（例えば、本実施例では乗算）を実行することにより、許諾確認係数Ｙ（Ｋ）を決定し（ステップＨ１）、許諾確認係数Ｙ（Ｋ）は、事前に計算できるものについては事前に計算する（ステップＨ２）。また、顧客Ｕのリクエスト時に計算しなければならないものについては追加計算を行って広告配信前に許諾確認係数Ｙ（Ｋ）の値を決定する（ステップＨ３）。
３．広告配信部１３０
広告配信部１３０は、顧客Ｕに対する広告の配信スケジュールを決定して広告配信を行うように構成されており、以下の動作を実行する：
Ｉ）配信優先順位の決定
広告サーバ１３０−１に蓄積されている全ての広告について順位決定係数Ｘ（Ｋ）＊許諾確認係数Ｙ（Ｋ）を計算し、得られた値が大きい広告から配信優先順位を決定する（ステップＩ）。
Ｊ）配信スケジュールの決定
上記（Ｉ）で決定された配信優先順位に基づき、顧客が視聴しようとする番組への広告挿入タイミング及び当該広告挿入タイミングに割り当てられた時間内での広告配信順序を決定する（ステップＪ１）。
配信予定の広告の放映秒数ｆが予定された広告挿入タイミングでの割り当て残り秒数ｇを超える（ｆ＞ｇ）場合には、係数０が掛けられて、次の順番にまわされる（即ち、次の広告挿入タイミングの１番目になる）（ステップＪ２）。
また、配信予定の広告の放映秒数ｆが予定された広告挿入タイミングでの割り当て残り秒数ｇに等しいかまたは小さい（ｆ≦ｇ）場合には、係数１が掛けられて、その配信スケジュールの指示が配信順位指示装置１３０−３で決定されてＣＭサーバ１３０−１に出力される（ステップＪ３）。
Ｋ）広告データの配信
ＣＭサーバ１３０−１は、番組配信時に、上記（Ｊ）で配信順位指示装置１３０−３により決定された配信順位（配信スケジュール）に基づき、その広告挿入タイミングで広告を配信する（ステップＫ１）。
指定広告による広告配信
次に、図５及び図７を参照して、配信すべき広告が指定される場合について説明する。
広告が指定される場合の例としては、以下のものが考えられる：
▲１▼コンテンツによる広告指定がある場合
例えば、コンテンツ・ホルダー等によるコンテンツ毎の広告販売がなされた場合等がある。
▲２▼広告枠による広告指定がある場合
例えば、コンテンツの中の複数の広告枠の１つまたは２つ以上の広告枠が特別に販売された場合等がある。
▲３▼視聴者による広告指定がある場合
例えば、視聴者がコンテンツを見るにあたって、広告を指定できるようなサービスがあるような場合等である。
次に、指定広告による配信順位付けについて説明する。
（ａ）指定された広告群は、全て優先順位が一気に上がるような重み付けが、指定広告係数により付与される。
（ｂ）指定された広告群の中で、ターゲット、時間帯、特殊履歴等による、異なる重み付けが更に行われることにより、指定された広告群内での、広告差換えが可能になる。
（ｃ）また、指定された広告群の中の各広告は、指定内での最大フリークエンシーが決められており、それを超えた配信が行われることはない。
（ｄ）コンテンツによる広告指定がある場合には、そのコンテンツの広告枠数に対し、指定広告が全て最大フリークエンシーまで流れ、次に流すものがなくなったときには、残りの広告枠は、スポット広告による配信順位決定フローに従って広告配信される。
どのメディアにアクセスしても、統合的に決められた優先順位に従って、広告が配信されることによって、各広告の該視聴者に割り振られた視聴数を効率よく達成できる。
ただし、視聴者が現在アクセスしているメディアや、そのメディアによって提供されている番組コンテンツ、あるいはサービスによって、優先的に配信すべき広告が指定されており、その指定された広告の中で、さらに視聴者によって、広告を差し替えて配信する事が必要な場合がある。
従って、広告枠が存在する番組・コンテンツあるいはサービスにアクセスした場合は、まず、広告指定があるかないかを、指定広告検出装置１３０−２によって検出し、指定広告がある場合には、指定されたＩＤを持つ広告群に指定広告係数として、特別に優先される係数を与えた上で、他の条件を加味して優先順位を決定する。
指定広告がない場合は、前記統合的に決められた優先順位を基にスポット広告として、配信準備が行われる。
指定広告の有無に関わらず、優先順位に従って配信が予定されている広告でも、以下のような事を広告確認手段によって確認した上で、配信準備に入る事が必要な場合がある。
（１）優先順位的に配信準備に入るべき広告の業種、商品または広告主が、挿入される番組、サービスまたは、現在アクセスしている配信事業者の規制に適合するかどうかを確認する必要がある。
（２）前記優先順位的に配信準備に入るべき広告の広告主が、挿入される番組、サービスまたは、現在アクセスしている配信事業者での放映を規制しているかどうかを確認する必要がある。
（３）前記優先順位的に配信準備に入るべき広告の前記広告デジタル・データが、現在アクセスしている前記広告配信手段に適したデータとして存在しているかどうかを確認する必要がある。
（４）前記優先順位的に配信準備に入るべき広告の前記広告デジタル・データが現在アクセスしている前記広告配信手段の中に異なるフォームで複数存在している場合に、どのデータが配信されるべきかを判断する必要がある。
（５）前記優先順位的に配信準備に入るべき広告が現在アクセスしている配信システムによる配信形態、配信期限、配信地域、配信対象・サービスの少なくとも一つ又は二つ以上について、放映許諾を受けている範囲内かどうかを確認する必要がある。
（６）前記優先順位的に配信準備に入るべき広告の前記広告デジタル・データの放映秒数が、挿入予定の広告枠時間内に挿入可能であるかどうかを確認する必要がある。
広告枠が存在する番組・コンテンツあるいはサービスにアクセスした時点で、指定広告検出装置１３０−２によって、広告指定があるかないかを検出し、指定広告がある場合と指定広告がない場合のどちらのプログラムに従って、優先順位を算出すべきかを指示する。
視聴者が現在アクセスしているメディアや、そのメディアによって提供されている番組コンテンツ、あるいはサービスによって、優先的に配信すべき広告が指定されており、その指定された広告の中で、さらに視聴者によって、広告を差し替えて配信する順位を決定する例：
例
ある番組Ａに、自動車会社Ｔがスポンサードしており、指定広告として、Ｔ社の自動車ＣＭが３車種分（スポーツカータイプ，高級車タイプ，普及車タイプ）、指定されたとする。
この際、該番組Ａを見ている視聴者に対し、Ｔ社から、次のようなオーダーを受けたとする：「スポーツカータイプは３０才代以下の視聴者にのみ２回見せ、高級車タイプは４０才代以上の視聴者にのみ２回見せ、普及車タイプは全世代に１回見せるような割振りで、ＣＭを見せたい。」。
まず、「指定広告による配信順位決定」のプログラムで、放映優先係数Ｘが算出される。
指定された３種のＣＭは、番組Ａの広告枠で優先的に配信されるように、指定広告係数１００が割り当てられる。
スポーツカータイプは、３０才代以下の視聴者にターゲット係数２、４０才代以上の視聴者にターゲット係数０を割り振る。
高級車タイプは、３０才代以下の視聴者にターゲット係数０、４０才以上の視聴者にターゲット係数２を割り振る。
普及車タイプは、全世代の視聴者に対し、ターゲット係数１を割り振る。
各ＣＭの各視聴者に対する重みは、指定広告係数×ターゲット係数で、表１に示すように算出される：
【表１】
2002091262.tif 000003
優先順位を決める為の放映優先係数の算出は、１５分ごとに、新たに行なわれる。これにより、３０才代以下の視聴者は、スポーツカータイプのＣＭを１５分おきに２回、普及車タイプのＣＭを１回視聴し、残りの広告枠は後述する「スポット広告による配信順位決定」のプログラムによって決められたＣＭを視聴する。
４０才代以上の視聴者は、高級車タイプのＣＭを１５分おきに２回、普及車タイプのＣＭを１回視聴し、残りの広告枠は、後述する「スポット広告による配信順位決定」のプログラムによって決められたＣＭを視聴する。
スポット広告による広告配信
次に、図６及び図７を参照して、スポット広告による広告配信について説明する。
視聴者が現在アクセスしているメディアや、そのメディアによって提供されている番組コンテンツ、あるいはサービスによって、優先的に配信すべき広告が指定されておらず、統合的に決められた優先順位を基に、広告確認手段による確認を行った上で、配信順位を決定する例：
（１）の例
例えば視聴者αが自動車会社Ｔ社の提供する番組を視聴時に、広告枠が存在し、優先順位上位のＨ社の自動車広告が配信準備に入る為、広告確認手段により、チェックを受けたところ、前記番組により、自動車という業種の広告はＴ社以外のものは放映しないという規制データと前記Ｈ社の自動車広告の業種コードとのマッチングにより、係数０が割り当てられ、放映確認係数Ｙが０になり、前記Ｈ社の自動車広告は、配信を保留されることになる。
前記Ｈ社の自動車広告は、放映優先係数Ｘが上位のまま保たれるため、視聴者αの視聴番組が前記Ｔ社の提供する番組から、他の番組に変わり、番組規制による係数が１になり、他の確認事項とも合わせて、放映確認係数Ｙが１になる時点で、配信されることになる。
（２）の例
例えば視聴者αが、未成年者視聴規制のあるような残虐なシーンのある番組を視聴時に、広告枠が存在し、優先順位上位の食品メーカーの広告Ｉが配信準備に入る為、広告確認手段により、チェックを受けたところ、前記広告Ｉによる、被挿入規制番組の種別と前記視聴中の番組の種別コードとのマッチングにより、係数０が割り当てられ、放映確認係数Ｙが０になることにより、配信は保留されることになる。
前記広告Ｉは、放映優先係数Ｘが上位のまま保たれるため、視聴番組が他の番組に変わり、前記広告Ｉによる被挿入番組規制とのマッチングにより、係数１となり、他の確認事項とも合わせて、放映確認係数Ｙが１になる時点で、配信されることになる。
（３）の例
例えば消費者αが、家庭のＴＶ受像機でデジタル・ハイビジョン番組を視聴中に、広告枠が存在し、優先順位上位の広告Ｊが配信準備に入る為、広告確認手段により、チェックを受けたところ、前記ＴＶ受信機に広告を配信する広告配信管理システムの配信サーバに、前記広告Ｊのデジタル・データとして、ハイビジョン番組内で放映できるものが存在していないため、係数０が割り当てられ、放映確認係数Ｙが０になることにより、配信は保留されることになる。
前記広告Ｊは、放映優先係数Ｘが上位のまま保たれるため、視聴者αが別のメディアで番組を見ることになり（同じＴＶ受像機であっても、違うフォーマットによるデータ配信が行なわれる場合には、別のメディアと認識するものとする）、前記新たにアクセスしたメディアの広告配信管理システムに適応した、前記広告Ｊのデジタル・データが存在し、ここでの係数が１となり、他の確認事項とも合わせて、放映確認係数Ｙが１になる時点で、配信されることになる。
（４）の例
例えば視聴者αが家庭のパソコンで動画番組を視聴中に、広告枠が存在し、優先順位上位の広告Ｋが、配信準備に入るために、広告確認手段によりチェックを受けたところ、前記パソコンに広告を配信する配信システムの配信サーバには、前記広告Ｋの、データ・サイズの違う（圧縮率、または画面サイズが違う）デジタル・データが、複数存在している場合には、前記パソコンに繋がっている回線の通信状況や、前記パソコンの画面サイズによって、最適な前記広告Ｋのデジタル・データＫ−１が選抜され、係数１を与えられ、他の確認事項とも合わせて、放映確認係数Ｙが１になれば、配信準備に入ることになる。
前記広告Ｋの、前記Ｋ−１以外のデジタル・データは、係数０を与えられ、配信準備からはずされる。
前記Ｋ−１が視聴者αに配信されると、前記広告Ｋの放映実績は、カウントされ、前記広告Ｋの放映優先係数は、新たな計算によって算出されることになる。
（５）の例
例えば視聴者αが、あるメディアにアクセス中に、広告枠が存在し、優先順位上位の広告Ｌが配信準備に入るために、広告確認手段によりチェックを受けたところ、前記広告Ｌのデジタル・データそれぞれに対応した、放映許諾情報を広告放映許諾情報管理システム（＝ＡＤ−Ｍｅｍｏｒｉｅｓ）より呼出し、前記広告Ｌが配信準備に入ろうとしている広告配信管理システムの配信形態、放映期間、放映地域・場所、配信対象・サービスの各条件が、前記広告Ｌの放映許諾情報の範囲内であるかどうかを確認し、全て範囲内であれば係数１を、１つ又は２つ以上の条件で範囲外になるものがあれば係数０が割り当てられる。
前記係数１の場合、他の確認事項とも合わせて、放映確認係数Ｙが１になれば、広告Ｌは配信準備に入ることになる。
配信形態とは、例えばストリーミングによる配信なのか、ダウンロードによる配信なのか、その場合のセキュリティ・システム（コピー・プロテクト、ライフ・コントロール等）はどうなっているかといったものや、ユーザーが広告を自らの意志で呼び出すＰＵＬＬ型配信なのか、広告がユーザーの意志に関係なく放映されるＰＵＳＨ型配信なのか等を言う。
放映期間とは、出演者や音楽制作者といった広告に関する権利者との契約や、広告内容に照らし合わせ、広告を配信していい期限（最も厳しい条件に準拠）を設定したものを言う。
放映地域・場所とは、出演者や音楽制作者といった広告に関する権利者との契約や、広告内容に照らし合わせ、視聴者に広告を見てもらってもよい地域・場所（最も厳しい条件に準拠）を設定したものを言う。
特に、携帯端末や自動車端末に対する広告配信においては、前記携帯端末や前記自動車端末の現在位置によって、広告の放映許諾範囲内の場所かどうかが、ダイナミックに変化する。
配信対象・サービスとは、視聴者に広告を見てもらう広告枠が設定されている対象が、テレビ、パソコン、携帯端末、自動車端末、ＴＶ電話、モニター付き家電等の「どういったハード機器をアクセス端末にしたものか？」、あるいは、番組オンデマンド放送、番組リアルタイム放送、通信サービス、情報提供サービス等の「どんなサービスにおいて設定されたものか？」あるいは、画質、画面サイズ、広告の出方等、「どんな状態で広告が配信されるものか？」、以上をフレキシブルに組み合わせたものを言う。
（６）の例
例えば視聴者αが、あるメディアにアクセス中に広告枠が存在し、優先順位上位の広告Ｍが配信準備に入るため、広告確認手段により、チェックを受けたところ、前記広告Ｍは、３０秒の放映時間があるが、前記被挿入予定の広告枠が残り１５秒しかないため、係数０が割り当てられ、放映確認係数Ｙが０になり、前記広告Ｍは、配信を保留されることになる。
放映優先順位が広告Ｍの次順位である広告Ｎは、視聴時間が１５秒の為、広告確認手段による放映時間チェックで、係数１が割り当てられ、他の確認事項とも合わせて、放映確認係数Ｙが１になれば、配信準備に入ることになる。
前記広告Ｍは、放映優先係数Ｘが上位に保たれたままの為、次機会の広告枠に３０秒以上の確保されていれば、放映時間チェックで、係数が１になる為、他の確認事項とも合わせて、放映確認係数Ｙが１になれば、配信準備に入ることになる。
上述した広告配信管理システム及び方法よれば、視聴者が複数の広告配信管理システムを利用する場合でも、視聴者により選択された広告配信管理システムから視聴者毎に優先順位に応じた広告を効率的に配信することができる。
次に、図８を参照して、広告に関する制作代理店と媒体代理店とが異なる場合における、本発明の広告配信管理システムを用いた広告取引について説明する。
例えば、クライアント８００からの依頼により、テレビ等のメディアで放送される広告（ＣＭ）を制作した代理店（制作代理店）８０１と、クライアント８００からの依頼によりそのテレビの広告枠を販売代行した代理店（媒体代理店社）８０２とがそれぞれ別の会社である場合には、制作代理店８０１は、「ＣＭプロデューサ」として、（１−１）ＣＭのクオリティ・コントロール（デジタル加工、チェック）；（１−２）ＣＭのライツ（ｒｉｇｈｔｓ）・マネジメント（権利・許諾管理）；（１−３）ＣＭデータの保管、デリバリー管理を実行する役割・責任がある。また、媒体代理店８０２は、「メディアのセールス代理」として、（２−１）メディア（広告販売元）に対する出稿指示；（２−２）出稿素材の確認；（２−３）放送確認及びクライアントへの報告を実行する役割・責任がある。
そこで、上述した役割・責任を実行するために、本発明の広告配信管理システムを構成する広告配信管理センター８０３に対して、制作代理店８０１は、各広告について、▲１▼デジタル化状況、デリバリー状況を広告配信管理センター８０３を構成しているＣＭデジタル・データベースＣＭＤＢに登録し、▲２▼期間、地域、時間帯、上限回数等の使用許諾情報を広告配信管理センター８０３を構成している広告使用許諾情報データベースＣＭＰＭＤＢに登録すると共に、▲３▼広告送信履歴を確認する。また、媒体代理店８０２は、出稿する広告について、▲４▼制作代理店８０１により広告配信管理センター８０３のＣＭデジタル・データベースＣＭＤＢに事前登録された情報を参照しながら、在庫状況を確認し、▲５▼広告配信管理センター８０３を構成している広告使用許諾情報データベースＣＭＰＭＤＢにおける使用許諾情報を確認し、かつ▲６▼広告送信履歴を確認する。
広告配信管理センター８０３は、制作代理店８０１及び媒体代理店８０２に対して、それぞれ上述した処理を行うと共に、広告使用許諾情報データベースＣＭＰＭＤＢ及びＣＭデジタル・データベースＣＭＤＢを用いて、▲７▼期間終了後にＣＭデータの削除命令を実行し、▲８▼ＣＭデータ送信時の許諾内容を確認し、▲９▼ＣＭ送信履歴をカウントする。
即ち、広告配信管理センター８０３は、広告使用許諾情報データベースＣＭＰＭＤＢにより、制作代理店８０１及び媒体代理店８０２が広告取引に際して必要とする情報を一元的に管理する。
その結果、制作代理店８０１は、メディア８０４〜８０７やＲＥＰ（図示省略）に、ＣＭ素材のデジタル加工を任せることや、ＣＭデータがどこにどう存在し、どう使用されているか等が把握できなくなる、という事態を防ぐことができる。また、媒体代理店８０２は、メディアへの指示系統の複雑化、メディアとの信頼関係だけに基づく放送確認、という事態を防ぐことができる。
更に、ブロードバンド放送による新たな設備投資が迫られているテレビ局等のメディア８０４〜８０７は、各メディアとＣＭ配信設備を共有化することにより、かつこの共有化されたＣＭ配信設備により、ディジタル送稿を行うことにより、ＣＭ配信コストを削減することができる。
図８の例では、クライアントが制作代理店及び媒体代理店にそれぞれ個別に発注を行う場合を示したが、クライアントからの発注を制作代理店又は媒体代理店のいずれかが受注し、その受注に基づき媒体代理店又は制作代理店に依頼するような場合に対して本発明の広告配信管理システムを適用することができる。
また、図８ではメディアの数として４つが示されているが、メディアの数は、それに限定されるものではなく、一つ又は二つ以上の複数個であってもよい。
本発明の他の実施例として、広告確認手段は、優先順位的に配信準備に入るべき広告が、現在アクセスしている配信システムによる配信形態、配信期限、配信地域、配信対象、配信サービス、配信心時間帯、配信対象者年齢の少なくとも一つ又は二つ以上について、放映許諾を受けている範囲内かどうかを確認するように構成されてもよい。そのような場合の例を以下に説明する。
昼間の時間帯に広告付き番組が視聴されることになり、その広告が配信準備に入るため広告確認手段によりチェックを受けたところ、その広告がアルコール飲料に関するものなので自主規制によって１７時以降にしか放映しない（または放送できない）ことになっているため、確認係数として０が割り当てられて、その広告の配信が保留される。
また、家庭内で、視聴者を判別できる機能が受信機（受像機）に付加されている場合には、視聴者が未成年であるならば、アルコール飲料、煙草、消費者金融等の広告（ＣＭ）が規制されて、その配信が保留される。
上記広告確認手段は、（ａ）広告が広告配信サーバに蓄積されている時点での確認と、（ｂ）広告配信サーバから配信される時点での確認、の二段階を含み得る。
例えば、上記（１）及び上記（２）の場合は、配信事業者や番組が決まった時点で、上記広告確認手段により事前確認し、適合されない広告は、予めリストから除外しておく。但し、番組の場合は、ほぼ配信時点での確認と同じタイミングになる。
上記（３）及び上記（４）の場合は、配信時点での確認となる。
上記（５）の場合は、配信期限、配信地域は、蓄積時点で確認を行ってしまい、配信形態、配信対象、配信サービス、配信時間（配信時間帯）、配信対象者年齢は、配信時点での確認となる。但し、配信地域でも、受信機がモバイル端末である場合には、配信される時点での確認となる。
上記（６）の場合は、配信時点での確認となる。
本発明は、その精神または主要な特徴から逸脱することなく、他のいろいろな形で実施することができる。そのため、上述した実施例は、あらゆる点で単なる例示にすぎず、限定的に解釈してはならない。本発明の範囲は、請求の範囲によって示すものであって、明細書本文には、なんら拘束されない。更に、請求の範囲の均等範囲に属する変形や変更は、全て本発明の範囲内のものである。
【図面の簡単な説明】
図１は、本発明による広告配信管理システムの一実施例の構成を示す概略ブロック図である；
図２ａは、図１の広告配信管理システムの処理動作を説明するためのフロー図である；
図２ｂは、図１の広告配信管理システムの処理動作を説明するためのフロー図である；
図３は、本発明による広告配信管理システムの別の実施例の構成を示す概略ブロック図である；
図４ａは、図３の広告配信管理システムの処理動作を説明するためのフロー図である；
図４ｂは、図３の広告配信管理システムの処理動作を説明するためのフロー図である；
図４ｃは、図３の広告配信管理システムの処理動作を説明するためのフロー図である；
図４ｄは、図３の広告配信管理システムの処理動作を説明するためのフロー図である；
図４ｅは、図３の広告配信管理システムの処理動作を説明するためのフロー図である；
図４ｆは、図３の広告配信管理システムの処理動作を説明するためのフロー図である；
図４ｇは、図３の広告配信管理システムの処理動作を説明するためのフロー図である；
図４ｇ−１は、図３の広告配信管理システムの処理動作を説明するためのフロー図である；
図４ｈは、図３の広告配信管理システムの処理動作を説明するためのフロー図である；
図４ｉは、図３の広告配信管理システムの処理動作を説明するためのフロー図である；
図４ｊは、図３の広告配信管理システムの処理動作を説明するためのフロー図である；
図４ｋは、図３の広告配信管理システムの処理動作を説明するためのフロー図である；
図５は、図３の広告配信管理システムによる指定広告の広告配信を説明するための構成図である；
図６は、図３の広告配信管理システムによるスポット広告の広告配信を説明するための構成図である；
図７は、図３の広告配信管理システムによる指定広告及びスポット広告の広告配信処理を説明するための概略フロー図である。
図８は、図３の広告配信管理システムを利用した広告配信の別の実施例を示す概略構成図である。
【図１】
2002091262.tif 000004
【図２ａ】
2002091262.tif 000005
【図２ｂ】
2002091262.tif 000006
【図３】
2002091262.tif 000007
【図３ａ】
2002091262.tif 000008
【図３ｂ】
2002091262.tif 000009
【図３ｃ】
2002091262.tif 000010
【図４ａ】
2002091262.tif 000011
【図４ｂ】
2002091262.tif 000012
【図４ｃ】
2002091262.tif 000013
【図４ｄ】
2002091262.tif 000014
【図４ｅ】
2002091262.tif 000015
【図４ｆ】
2002091262.tif 000016
【図４ｇ】
2002091262.tif 000017
【図４ｇ−１】
2002091262.tif 000018
【図４ｈ】
2002091262.tif 000019
【図４ｉ】
2002091262.tif 000020
【図４ｊ】
2002091262.tif 000021
【図４ｋ】
2002091262.tif 000022
【図５】
2002091262.tif 000023
【図６】
2002091262.tif 000024
【図６ａ】
2002091262.tif 000025
【図６ｂ】
2002091262.tif 000026
【図７】
2002091262.tif 000027
【図８】
2002091262.tif 000028
【国際調査報告】
2002091262.tif 000029
2002091262.tif 000030
2002091262.tif 000031
2002091262.tif 000032